(57)【特許請求の範囲】
【請求項１】
巻き取り軸に巻き取ることで上昇させ、かつ巻き取り軸から繰り出すことで下降させるシャッターカーテンの左右側端部をそれぞれガイドレールにより昇降自在に保持されたシャッター装置において、
前記シャッターカーテンの下端部に位置し左右側端部を前記ガイドレールによりそれぞれ昇降自在に保持された上部座板と、該上部座板に対し左右方向の軸を中心に上下方向へ回動するように連結された下部座板と、前記ガイドレールに内に設けられた係止部材と、前記下部座板の上方向への回動に連動して前記係止部材に係止するストッパー部材と、施錠位置と施錠解除位置のいずれか一方に操作可能に前記上部座板に設けられた操作部及び該操作部の操作に連動して上下に移動する上下動部材とを備え、該上下動部材の上下動に連動して前記下部座板が上下方向へ回動するように構成されて、前記下部座板を上方向に回動された状態で保持する保持機構が設けられていることを特徴とするシャッター装置。
【請求項２】
前記上下動部材には、前記上部座板の長手方向において水平面に対して傾斜する傾斜面を有する傾斜部と、上下動したときに前記下部座板を上下方向に回動するように該下部座板に係合する係合部が設けられており、
前記操作部には、前記上部座板に固設されたホルダーと、該ホルダーに左右方向に移動可能に保持された操作レバーと、該操作レバーから前記上部座板側に突設された突設部材が設けられており、
前記上下動部材は前記操作レバーと前記上部座板の間に配設され、前記ホルダーの前記上下動部材に対向する部分の下方側に設けられた位置決め部材により前記上下動部材が前記ホルダー側への移動を規制されており、前記突設部材は前記傾斜面と当接されていることを特徴とする請求項１記載のシャッター装置。
【請求項３】
前記位置決め部材の前記上下動部材との当接面が、上にいくにつれて前記上下動部材から離れる方向に傾斜していることを特徴とする請求項２記載のシャッター装置。
【請求項４】
前記上下動部材には、長手方向が左右方向で略水平な当接面と、上下動したときに前記下部座板を上下方向に回動するように該下部座板に係合する係合部が設けられており、
前記操作部には、前記上部座板に固設されたホルダーと、該ホルダーから前記上部座板側に突設された回転軸と、該回転軸に嵌合され該回転軸回りに回動可能に設けられた操作レバーと、該操作レバーに設けられ該操作レバーの回動とともに回動する当接部が設けられており、該当接部が前記当接面に当接されていることを特徴とする請求項１記載のシャッター装置。
【請求項５】
前記ストッパー部材が、前記上部座板に対して左右方向の軸を中心に回動するように軸支されたリンク片に対して左右方向の軸を中心に回動するように軸支するとともに前記下部座板に対して左右方向の軸を中心に回動するように軸支し、前記下部座板が上方向へ回動変位するのに連動して施錠解除位置から施錠位置へ回動する前記ガイドレールの内部に設けられたロック片であり、
前記係止部材が、前記ロック片位置が前記施錠位置に位置したときに前記ロック片が係止するように前記ガイドレールに設けられた係止片であることを特徴とする請求項１〜４のいずれかに記載のシャッター装置。
【請求項６】
前記ストッパー部材が、前記上部座板に水平方向で前記ガイドレール側に突設された突設片であり、
前記係止部材が、前記ガイドレール内に設けられた上下方向の軸を中心として回動可能に軸支された感知板の回動に連動して水平方向に揺動する揺動係止板であり、
前記上部座板に対し左右方向の軸に一端側が軸支され、他端側が前記感知板を押動することが可能に設けられた第１アームと、前記下部座板に対して一端側が左右方向の軸を中心に回動するように軸支され他端側が前記第１アームの一端側と他端側の中間に軸支されている第２アームが設けられていることを特徴とする請求項１〜４のいずれかに記載のシャッター装置。
【発明の詳細な説明】
【０００１】
【発明の属する技術分野】
本発明は建物の窓や出入口等の開口を開閉するシャッター装置に関する。
【０００２】
【従来の技術】
このようなシャッター装置の一つとして、シャッターカーテンの左右側端部をそれぞれガイドレールにより昇降自在に保持され、巻き取り軸に巻き取ることで上昇させ、かつ巻き取り軸から繰り出すことで下降させて開閉するシャッター装置が知られている。シャッター装置には、防犯上の理由から閉状態でロックするロック機構が備えられている。
【０００３】
従来技術として、特開２０００−３３７０６２号には、シャッターカーテンが下端に取り付けられたロック部材がシャッター全閉時に回動し、下枠に取り付けられたロック受に係合して自動的に施錠するロック機構が開示されている。
【０００４】
【発明が解決しようとする課題】
しかしながら、従来技術はシャッターカーテンの下端が下枠に着地する作用を利用してロック部材を回動しロック受に係合する機構であるので、シャッターを通風確保のため下端部を人が侵入できない程度に開いた状態ではロックできない問題があった。
【０００５】
また、シャッターカーテンのスラットに通風と採光のための開口部を有し、シャッターカーテンの全閉時にはスラット間のクリアランスが短縮されて開口部が閉状態となり、シャッターカーテンを開方向に巻き上げていくとスラットの自重によりスラット間のクリアランスが広がり開口部が開状態となるシャッター装置においては、この開口部が開状態になった状態で施錠しようとした場合、従来技術はシャッターカーテンの下端が下枠に着地してエンドスラットと次段スラットのクリアランスがなくなるか、短縮されていなければならず、かつ、それ以外の開口部のスラット間のクリアランスを広げた状態でシャッターカーテンを止めなければならないため、精度の高い停止位置制御が必要となる。
【０００６】
る作用を利用してロック部材を回動しロック受に係合する機構であるので、スラット間のクリアランスも短縮されて開口部が閉状態となってしまう問題点があった。
【０００７】
本発明は上記課題を解決したもので、シャッターカーテンの下端部に上方向の荷重が作用しない状態でも施錠ができるシャッター装置を提供する。
【０００８】
【課題を解決するための手段】
上記技術的課題を解決するために、本発明の請求項１において講じた技術的手段（以下、第１の技術的手段と称する。）は、巻き取り軸に巻き取ることで上昇させ、かつ巻き取り軸から繰り出すことで下降させるシャッターカーテンの左右側端部をそれぞれガイドレールにより昇降自在に保持されたシャッター装置において、前記シャッターカーテンの下端部に位置し左右側端部を前記ガイドレールによりそれぞれ昇降自在に保持された上部座板と、該上部座板に対し左右方向の軸を中心に上下方向へ回動するように連結された下部座板と、前記ガイドレールに内に設けられた係止部材と、前記下部座板の上方向への回動に連動して前記係止部材に係止するストッパー部材と、施錠位置と施錠解除位置のいずれか一方に操作可能に前記上部座板に設けられた操作部及び該操作部の操作に連動して上下に移動する上下動部材とを備え、該上下動部材の上下動に連動して前記下部座板が上下方向へ回動するように構成されて、前記下部座板を上方向に回動された状態で保持する保持機構が設けられていることを特徴とするシャッター装置である。
【０００９】
上記第１の技術的手段による効果は、以下のようである。
【００１０】
すなわち、下部座板の上方向への回動に連動してストッパー部材が係止部材によって係止され、かつ保持機構によって下部座板が上方向に回動した状態で保持されるので、シャッターカーテンの下端部に上方向の荷重が作用しない状態でも施錠ができる。
【００１１】
しかして、前記保持機構は、施錠位置と施錠解除位置のいずれか一方に操作可能に前記上部座板に設けられた操作部と、該操作部の操作に連動して上下に移動する上下動部材とが備えられ、該上下動部材の上下動に連動して前記下部座板が上下方向へ回動するように構成されている。
【００１２】
したがって、上記第１の技術的手段は、更に、以下の効果を奏する。
【００１３】
すなわち、施錠位置と施錠解除位置のいずれか一方に操作可能な操作部の操作により上下される上下動部材に連動して下部座板を上下方向に回動するように構成されているので、簡単な構成で保持機構ができ、コンパクトで低コストな施錠機構を提供できる。
【００１４】
上記技術的課題を解決するために、本発明の請求項２において講じた技術的手段（以下、第２の技術的手段と称する。）は、前記上下動部材には、前記上部座板の長手方向において水平面に対して傾斜する傾斜面を有する傾斜部と、上下動したときに前記下部座板を上下方向に回動するように該下部座板に係合する係合部が設けられており、前記操作部には、前記上部座板に固設されたホルダーと、該ホルダーに左右方向に移動可能に保持された操作レバーと、該操作レバーから前記上部座板側に突設された突設部材が設けられており、前記上下動部材は前記操作レバーと前記上部座板の間に配設され、前記ホルダーの前記上下動部材に対向する部分の下方側に設けられた位置決め部材により前記上下動部材が前記ホルダー側への移動を規制されており、前記突設部材は前記傾斜面と当接されていることを特徴とする請求項１記載のシャッター装置である。
【００１５】
上記第２の技術的手段による効果は、以下のようである。
【００１６】
すなわち、傾斜面に当接している突設部材を左右に動かすことによって上下動部材を上下方向に動かすことができる。したがって、操作レバーを左右移動させることによって上下動部材を上下動しシャッターカーテンを施錠状態または施錠解除状態にできる。
【００１７】
上記技術的課題を解決するために、本発明の請求項３において講じた技術的手段（以下、第３の技術的手段と称する。）は、前記位置決め部材の前記上下動部材との当接面が、上にいくにつれて前記上下動部材から離れる方向に傾斜していることを特徴とする請求項２記載のシャッター装置である。
【００１８】
上記第３の技術的手段による効果は、以下のようである。
【００１９】
すなわち、位置決め部材の当接面が上にいくにつれて上下動部材から離れる方向に傾斜しているので、上下動部材の係合部と下部座板の係合代をほぼ一定に保つことができる。
【００２０】
上記技術的課題を解決するために、本発明の請求項４において講じた技術的手段（以下、第４の技術的手段と称する。）は、前記上下動部材には、長手方向が左右方向で略水平な当接面と、上下動したときに前記下部座板を上下方向に回動するように該下部座板に係合する係合部が設けられており、前記操作部には、前記上部座板に固設されたホルダーと、該ホルダーから前記上部座板側に突設された回転軸と、該回転軸に嵌合され該回転軸回りに回動可能に設けられた操作レバーと、該操作レバーに設けられ該操作レバーの回動とともに回動する当接部が設けられており、該当接部が前記当接面に当接されていることを特徴とする請求項１記載のシャッター装置である。
【００２１】
上記第４の技術的手段による効果は、以下のようである。
【００２２】
すなわち、略水平な当接面に当接された当接部を回動させることによって上下動部材を上下方向に動かすことができ、当接部を鉛直方向よりわずかに余分に回して止めてやれば上下動部材を上側もしくは下側の位置で保持できる。したがって、操作レバーを回動操作することによって上下動部材を上下動させシャッターカーテンを施錠状態または施錠解除状態にすることができる。
【００２３】
上記技術的課題を解決するために、本発明の請求項５において講じた技術的手段（以下、第５の技術的手段と称する。）は、前記ストッパー部材が、前記上部座板に対して左右方向の軸を中心に回動するように軸支されたリンク片に対して左右方向の軸を中心に回動するように軸支するとともに前記下部座板に対して左右方向の軸を中心に回動するように軸支し、前記下部座板が上方向へ回動変位するのに連動して施錠解除位置から施錠位置へ回動する前記ガイドレールの内部に設けられたロック片であり、前記係止部材が、前記ロック片位置が前記施錠位置に位置したときに前記ロック片が係止するように前記ガイドレールに設けられた係止片であることを特徴とする請求項１〜４のいずれかに記載のシャッター装置である。
【００２４】
上記第５の技術的手段による効果は、以下のようである。
【００２５】
すなわち、下部座板が上方向へ回動変位するのに連動して回動されたロック片が係止片に係止することによって施錠状態にできるので、コンパクトでガイドレール内に収納できる施錠機構ができる。
【００２６】
上記技術的課題を解決するために、本発明の請求項６において講じた技術的手段（以下、第６の技術的手段と称する。）は、前記ストッパー部材が、前記上部座板に水平方向で前記ガイドレール側に突設された突設片であり、前記係止部材が、前記ガイドレール内に設けられた上下方向の軸を中心として回動可能に軸支された感知板の回動に連動して水平方向に揺動する揺動係止板であり、前記上部座板に対し左右方向の軸に一端側が軸支され、他端側が前記感知板を押動することが可能に設けられた第１アームと、前記下部座板に対して一端側が左右方向の軸を中心に回動するように軸支され他端側が前記第１アームの一端側と他端側の中間に軸支されている第２アームが設けられていることを特徴とする請求項１〜４のいずれかに記載のシャッター装置である。
【００２７】
上記第６の技術的手段による効果は、以下のようである。
【００２８】
すなわち、下部座板が上方向へ回動変位するのに連動して回動された第１アームの係合押圧部が感知板を押圧して回動し、感知板に連動して揺動係止板が揺動して突設片と係止できる状態になることによって施錠状態にできるので、コンパクトでガイドレール内に収納できるとともに感知板を利用してセンサ機構を備えることができる施錠機構が得られる。
【００２９】
【発明の実施の形態】
以下、本発明の実施形態について、図面に基づいて説明する。図１は、窓に適用されるシャッター装置１０を室内側から見た正面図である。図１に示すように、シャッター装置１０は、電動機１１により回転駆動する巻き取り軸１２に巻き取ることで上昇させかつ巻き取り軸１２から繰り出すことで下降させるシャッターカーテン１３と、このシャッターカーテン１３の左右側端部をそれぞれ昇降自在に保持してガイドするガイドレール１４、１５を備えている。巻き取り軸１２は格納ボックス１６内に設置されており、電動機１１は巻き取り軸１２内に設置されている。シャッターカーテン１３は、下端を構成する座板１７と、座板１７より上側の部分を構成する多数のスラット１８とによって構成されている。スラット１８には通風と採光を兼ねた多数の採光開口部１８ａが設けられている。隣接するスラット１８間のクリアランスは下方のスラット１８や座板１７の自重により広がった状態となり、図１のように採光開口部１８ａが開いた状態となる。座板１７が着地しさらに閉方向にシャッターカーテン１３を巻き降ろすとスラット１８間のクリアランスを縮める方向に作動し、採光開口部１８ａが隣接するスラット１８内に収納されて採光開口部１８ａが閉まった状態となるように構成されている。
【００３０】
電動機１１の作動は、図示しないコントローラにより制御される。このコントローラが有する操作ボタンには、シャッターカーテン１３を下降させることを指示する閉操作ボタン、シャッターカーテン１３を上昇させることを指示する開操作ボタン、シャッターカーテン１３の下降または上昇を停止させる停止操作ボタン、座板１７が下枠とほぼ当接し、かつ採光開口部１８ａが開いた状態（以下、採光位置と称する。）とする採光ボタン等がある。
【００３１】
シャッターカーテン１３が下限全閉位置あるいは下限全閉位置と上限全開位置の間にあるときにコントローラの開操作ボタンが一時的に押されると、コントローラが電動機１１を一方向へ回転するように作動させ、シャッターカーテン１３を巻き取り軸１２に巻き取ることでシャッターカーテンを上昇させる。そして、シャッターカーテン１３が上限全開位置に上昇することによりガイドレール１５内に設置された上限スイッチ（図示せず）が作動されて同スイッチの作動を表す電気信号がコントローラに入力されたとき、コントローラが電動機１１を直ちに停止させる。
【００３２】
他方、シャッターカーテン１３が上限全開位置あるいは上限全開位置と下限全閉位置の間にあるときに閉操作ボタンが一時的に押されると、コントローラが電動機１１を他方向へ回転するように作動させ、シャッターカーテン１３を巻き取り軸１２から繰り出すことでシャッターカーテンを下降させる。そして、採光位置まで下降することによりガイドレール１５内に設置された下限スイッチ（図示せず）が作動されて同スイッチの作動を表す電気信号がコントローラに入力したとき、コントローラが上限位置から座板当接までの時間を計り演算による時間制御により下限全閉位置まで電動機１１を作動させ止める。
【００３３】
採光ボタンを押すか、またはシャッターカーテン１３の上昇中あるいは下降中に停止操作ボタンが押され、シャッターカーテン１３は上限全開位置と下限全閉位置の間で停止された場合、スラット１８間のクリアランスは最大となり採光開口部１８ａが開いた状態となる。採光開口部１８ａからは通風と採光が得られる。停止操作ボタンを押した場合、シャッターカーテン１３により閉鎖される開口の下枠部材５とシャッターカーテン１３との間の隙間からも通風と採光が得られる。使用者は、通風と採光の好みに応じてシャッターカーテン１３の停止位置を決めることができる。採光ボタンを押した場合、下枠部材５とシャッターカーテン１３との間の隙間からは通風と採光が得られないが、採光開口部１８ａから通風と採光が得られる状態となっている。この状態では、外部から内部が見えないが、通風と採光が得られるという利点を使用者にもたらされる。座板１７には後に詳述する施錠位置と施錠解除位置に操作可能な操作部１００が設けられている。
【００３４】
コントローラの閉操作ボタンの操作に基づきコントローラがシャッターカーテン１３を採光位置に向けて下降させている最中にシャッターカーテン１３の座板１７が障害物と干渉して下限スイッチが作動され同スイッチの作動を表す電気信号がコントローラに入力されたときには、コントローラが直ちに電動機１１を停止または反転させる。
【００３５】
さらに、シャッターカーテン１３が採光位置に下降することにより下限スイッチが作動されて同スイッチの作動を表す電気信号がコントローラに入力された後、コントローラの開操作ボタンが再び操作されるまでの間に下限スイッチの作動を表す電気信号のコントローラへの入力が途絶えたときには（シャッターカーテンが外部から無理やり上昇させられたことを表すときには）、シャッターカーテン１３を下限全閉位置まで閉めるべくコントローラが直ちに電動機１１を他方向へ回転するように作動させる。
【００３６】
次に、施錠機構の詳細について説明する。図２は施錠装置を備えた座板の室内側から見た分解斜視図である。図３は施錠解除状態の座板を室内側から見た部分正面図、図４はそのＡＡ断面図である。図５は施錠状態の座板を室内側から見た部分正面図、図６はそのＢＢ断面図である。図７は室内側から見て座板の左端に設けられた第１ロック機構の施錠解除状態を説明する説明図、図８はその施錠状態を説明する説明図である。図７、８において、左側が室内側であり、右側が室外側である。図９は室内側から見て座板の右端に設けられた第２ロック機構の施錠解除状態を説明する説明図、図１０はその施錠状態を説明する説明図である。図９、１０は室外側から見た斜視図である。
【００３７】
座板１７は、直上のスラットに対し回動および上下動可能に連結される上部座板１９と、この上部座板１９に対し左右方向の軸を中心に回動可能に連結された下部座板２０とによって構成されている。なお、本明細書中で左右方向とは図１のようにシャッター装置１０を正面から見た場合の左右の方向をいう。すなわち左右方向とは、スラット１８の長手方向であり、座板１７の長手方向である。
【００３８】
上部座板１９の左右方向の中間で室内側の所定位置にＬ字型の穴部３９が設けられ、その左右に設けられた丸穴部３５にポップナット３６が取り付けられ、この部分に上部座板１９側からカム３１、ブラケット３４、操作レバー３２、ケース３３の順に配置し、ボルト３７をひょうたん型穴部３８を介してポップナット３６に螺合することによってカム３１と操作レバー３２が上部座板１９に取り付けられて操作部１００が形成されている。ブラケット３４とカム３１の間にはカム３１の下端部に位置決め部材４５がケース３３と一体で設けられている。位置決め部材４５のカム３１との当接面は、上にいくにつれてカム３１から離れる方向に傾斜している。このカム３１が上下動部材であり、操作部１００とともに保持機構を形成している。カム３１は、上部座板１９の長手方向において水平面に対して傾斜する傾斜面３１ａと水平面３１ｂをＲ面３１ｃでつないだカム摺動面３１ｄを有する傾斜部３１ｆと、下部座板２０と係合するための係合部３１ｅが設けられた上下動部材で、係合部３１ａが下部座板２０の半円部２０ｅに係合されている。操作レバー３２には上部座板１９側に突設されたピン（突設部材）３２ａが設けられ、ピン３２ａはブラケット３４の長穴３４ａを通り、カム摺動面３１ｄに当接されている。係合部３１ｅは穴部３９に挿入され、後述のように下部座板２０の半円部２０ｅに係合されている。操作レバー３２のレバー部３２ｂは、ケース３３の長穴３３ａから室内側に吐出されており、使用者が操作できるようになっている。操作レバー３２は左右方向に移動可能、カム３１は上下方向に移動可能に設けられている。レバー部３２ｂとケース３３の間には、板バネ４４が設置され、操作レバー３２の施錠位置と施錠解除位置で板バネ４４が入り込むようにケース３３に溝が形成されており、施錠位置と施錠解除位置で節度感が得られるようになっている。本実施形態では、ケース３３とブラケット４４が、操作レバー３２を左右方向に移動可能に保持するホルダーとなっている。
【００３９】
座板１７の図２において左側端部にはシャッタカーテンが上昇できないようにロックする第１ロック機構３が設けられ、右側端部にはシャッタカーテンが上昇できないようにロックするとともに挟み込み防止信号を伝達するための第２ロック機構４が設けられている。また上部座板１９の図２において右側端部にはラッチ片（突設片）９が突設されている。
【００４０】
上部座板１９は、アルミニウム材からなる押し出し成形型材により構成されており、軽量かつ高剛性の中空角柱部１９ａの上端側には、直上のスラットに対して回動および上下動可能に連結するための紙面鉛直方向に長くかつ略Ｌ字型断面を持った軸保持部１９ｂが設けられている。中空角柱部１９ａの下端側には室内側へ張出す張出し部１９ｃが設けられており、この張出し部１９ｃの先端には下部座板２０を回動可能に連結するための紙面鉛直方向に長くかつＣ字型断面を持った軸保持部１９ｅが設けられている。さらに、中空角柱部１９ａの下部の室外側には下部座板２０が図２に示す通常位置からさらに下方向へ回動することを制限するとともに塵埃の侵入を防止するための係止部１９ｄが設けられている。上部座板１９の左右方向の長さはスラット１８と同等であり、上部座板１９の左右側端部はガイドレール１４、１５によりそれぞれ昇降自在に保持されている。
【００４１】
下部座板２０は、アルミニウム材からなる押し出し成形型材により構成されており、軽量かつ高剛性の中空角柱部２０ａの上側かつ室内側の角部には上部座板１９の軸保持部１９ｅにより回動可能に保持される左右方向の軸部２０ｂが設けられている。中空角柱部２０ａの上側かつ室外側の角部には上部座板１９の係止部１９ｄと共働する係止部２０ｃが設けられている。下部座板２０の左右方向の長さはガイドレール１４、１５の対向側間隔より若干短く、下部座板２０の左右側端部はガイドレール１４およびにより保持されるものではなく、ガイドレール１４、１５の対向側間に位置する。下部座板２０に上方向への荷重が加わらないとき、あるいは上方向の位置に保持する作用が加わらないときには下部座板２０が自重により軸部２０ｂを中心に下方向へ回動して図４に示すように施錠解除状態の位置となる。また、施錠解除状態の位置を占めている下部座板２０に上方向の荷重が加わったときには、下部座板２０が軸部２０ｂを中心に上方向へ回動して図６に示すように施錠状態の位置となる。
【００４２】
中空角柱部２０ａの下側壁２０ｄと障害物が干渉した場合でも下部座板２０が確実に回動するようにするため、下部座板２０が上部座板１９に対し施錠解除状態では下側壁２０ｄが軸部２０ｂのほぼ真下まで張り出すようにされるとともに、下側壁２０ｄには軸部２０ｂから離れるのにつれて下降するように傾斜が付与されている。
【００４３】
第１ロック機構３は、上部座板１９の端部にガイドピース２１が、ガイドレール１４の内部にてガイドレール１４に対し昇降自在であるが左右方向への変位を拘束されるように係合され、かつ、上部座板１９に対し左右方向へ相対変位可能であるが一体的に昇降するように連結されており、そのガイドピース２１に左右方向の軸２３を中心に回動するように連結されたリンク片２２と、リンク片２２に対して左右方向の軸２５を中心に回動するように枢着されているとともに下部座板２０に対して左右方向の軸２６を中心に回動するように連結されたロック片２４と、ガイドレール１４に設けられた係止片２７とから構成されている。下部座板２０の中空角柱部２０ａの上側かつ室外側の角部近傍には、ロック片２４と作動的に連結するための下部座板２０左右方向の軸部材を軸方向へ変位可能に保持させるとともに、係合部３１ｅの先端が挿入され係合されるための半円部２０ｅが設けられている。
【００４４】
リンク片２２およびロック片２４は、下部座板２０が上部座板１９に対し施錠解除状態の場合には図７に示す位置になっており、下部座板２０が上部座板１９に対し施錠解除状態から上方向へ回動変位することに連動して図８に示す位置へ回動変位し施錠状態となる。
【００４５】
図７および図８に示すように、ガイドレール１４には下向き端面１４ｂを有する壁１４ａが設けられており、この壁１４ａには係止片２７が取付けられている。この係止片２７は、バネ鋼板により製作されており、施錠位置を占めるロック片２４が上昇されることで係止する係止部２７ａを有するとともに、壁１４ａをその厚み方向にて弾力的に挟み込ませて下向き端面１４ｂに係止させるＵ字状の取付部２７ｂを有している。
【００４６】
ガイドピース２１がガイドレール１４に対し昇降自在であるが左右方向への変位を拘束されていること、ガイドピース２１が上部座板１９に対し左右方向へ相対変位可能であるが一体に昇降するようにされていること、および軸部材２６が下部座板２０に対し左右方向へ相対変位可能に保持されていることにより、リンク片２２およびロック片２４は、座板１７に対し左右方向へ相対変位することができる。そのため、リンク片２２、ロック片２４および係止片２７の相対位置関係は、建て付け不良によるガイドレール１４の左右方向への反り返りの影響を受けることがなく、リンク片２２およびロック片２４の回動が常に円滑であるとともに、ロック片２４が係止片２７の係止部２７ｂに対して適確に係止する。
【００４７】
ガイドピース２１には、リンク片２２およびロック片２４を覆うカバー２８が取り付けられており、このカバー２８によってリンク片２２およびロック片２４の摺動部位への塵埃の侵入が軽減されている。なお、ガイドピース２１を省略し、リンク片２２を直接に上部座板１９に枢着することとしてもよい。
【００４８】
ガイドレール１５の上下に伸びる案内溝１５ａには、シャッターカーテン１３が上限および下限に到達したことを検知しモータ１１を停止させる図示しない上限スイッチおよび下限スイッチが装着され、また上限スイッチと下限スイッチのＯＦＦ作動領域でシャッターカーテン１３が閉動作の途中で障害物に衝突した場合、これを検出し直ちにシャッターカーテン１３の閉動作を停止あるいは開動作（反転動作）に転換させるための、いわゆる挟み込み防止機構を作用させるための図示しない下限スイッチが設置されている。
【００４９】
挟み込み防止機構は、シャッターカーテン１３の下方に装着された上部座板１９および下部座板２０と、上部座板１９に水平方向に往復摺動可能に保持されたガイドピース４１と、下部座板２０の回動に連動するとともにガイドピース４１に連設されたリンク部４３と、ガイドレール１５の案内溝１５ａに突出した突条１５ｂにより水平方向に揺動可能に軸支された感知板４２と、感知板４２がリンク部４３に付勢された位置で、シャッターカーテン１３の閉動作を停止あるいは開動作するようにモータを駆動制御するようにＯＮ作動する下限スイッチとから構成されている。
【００５０】
リンク部４３は、下部座板２０のガイドピース４１に形成された案内長孔ｂ１に移動可能に保持された可動支軸ｂ２を中心として揺動する第１アーム５１と、上部座板１９に保持された支軸ｂ３を中心として揺動する第２アーム５２から構成されている。
【００５１】
第１アーム５１は、一端ｄ１が可動支軸ｂ２に軸支され、他端ｄ２が第２アーム５２の一端ｄ３と他端ｄ４との間に軸支されている。第２アーム５２は、一端ｄ３が支軸ｂ３に軸支され、他端ｄ４が感知板４２に係合して押圧し、かつ感知板４２をバネ（図示せず）の付勢力に抗する方向に揺動する係合押圧部として機能する。
【００５２】
感知板４２は、ガイドレール１５の上端側で図略の位置に取付けられた挟み込み時作動用の下限スイッチをＯＮ作動およびＯＦＦ作動できるように、下限スイッチに当接および離脱できる位置に対向するとともに、下限スイッチのＯＦＦ作動状態を保持できる揺動位置に、常時、バネ（図示せず、以下同じ）で付勢、保持されている。
【００５３】
なお、前記バネの付勢力に抗して感知板４２を下限スイッチのＯＮ作動で位置に揺動した場合には、モータが制御部によりコントロールされシャッターカーテン１３の閉動作を停止したり、あるいはシャッターカーテン１３を開動作に転換する。
【００５４】
感知板４２には、下方位置に切り欠き部６ａが設けられている。この切り欠き部６ａには、揺動係止板７が下壁６１と上壁６０との間を上下に移動できるとともに、感知板４２の回動（左右水平方向の揺動）に連動できるように装着されている。
【００５５】
第２ロック機構４は、感知板４２に装着されるとともに、ガイドレール１５の案内溝１５ａ内で水平方向に揺動して挟み込み検出作動位置と挟み込み検出非作動位置のいずれか一方に位置する揺動係止板７と、上部座板１９にガイドピース４１とともに装着され、挟み込み検出作動位置にある揺動係止板７に係止するストッパー部材であるラッチ片（突設片）９とから構成されている。
【００５６】
揺動係止板７は、切り欠き６ａの下壁６１と上壁６０との間で上下移動し、かつラッチ片９と非係止状態にあるときには自重で下壁６１に当接する位置にまで移動し、ラッチ片９との係止状態にあるときには下壁６１に当接する位置にまで移動する。この位置を下限スイッチのＯＮ 領域でラッチ片９と揺動係止板７の係止位置に設定すれば挟み込み反転を妨げる（反転時に係止状態となる）ことはない。
【００５７】
ラッチ片９は、リンク部４３よりも上方位置でガイドレール１５の案内溝１５ａ内への突出する位置を変化可能（出没可能）に、ガイドピース４１により水平往復移動可能に保持される。またラッチ片９は、一端がガイドピース４１に連結されたバネ（図示せず）の他端が連結され、このバネによってガイドレール１５の案内溝１５ａ内に向かって付勢されており、バネの付勢力に伴う方向および付勢力に抗する方向に移動可能である。
【００５８】
次に、シャッターカーテン１３を全閉せずに施錠する動作について説明する。シャッターカーテン１３を下降させ、ロック片２４が係止片２７の下端より下に位置する状態、かつラッチ片９が揺動係止板７の下端より下に位置する状態で停止させる。
【００５９】
座板１７が下枠部材５から浮いた状態（すなわち座板２０が自重で下方向に回動した状態）では、レバー部３２ｂを図３に示す左端の施錠解除位置から図５に示す右端の施錠位置の方向に移動させると、ピン３２ａがカム３１の傾斜面３１ａに沿って移動し、カム３１が上方向に移動される。これによりカム３１の係合部３１ｅに係合されている下部座板２０の半円部２０ｅが上方向に持ち上げられる結果、下部座板２０が軸部２０ｂを中心として上方向に回動される。レバー部３２ｂが図５に示す施錠位置に達すると、ピン３２ａがカム３１の水平面３１ｂに達し、またレバー部３２ｂを施錠解除位置方向に押す荷重がなくなるためカム３１は最上端の位置に固定される。カム３１の上方向への移動は終わり、カム３１は最上端に位置する。板バネ４４により固定され、カム３１は最上端の位置に固定される。これにより下部座板２０も最上端の位置に回動され固定される。
【００６０】
また、座板１７が下枠部材５に着地した状態（すなわち座板２０が上方向に回動した状態）では、下枠部材５に当接した下部座板２０が下枠部材５から荷重を受けて上方向に回動し、図８の位置に固定される。これにより第１ロック機構３、第２ロック機構４とも上記したように施錠状態となる。レバー部３２ｂを施錠位置に移動させると、ピン３２ａがカム３１の水平面３１ｂにくる。この結果、カム３１は最上端に固定され、下部座板２０は上方向に回動された位置に固定される。
【００６１】
この結果、第１ロック機構３においては半円部２０ｅの上方への移動とリンク片２２、ロック片２４の作用によりロック片２４は図８の位置に固定される。ここで室外からシャッターカーテン１３を開けようとすると、ロック片２４の先端部２４ａが係止片２７の係止部２７ａで係止されシャッターカーテン１３が開けられることを阻止できる。係止片２７の位置はロック片２４が係止されたときにシャッターカーテン１３と下枠部材の隙間から侵入を許さない位置に設けられている。なお、図８では下部座板２０が下枠部材５に当接したシャッターカーテン１３の全閉状態を示しているが、作用は同じである。
【００６２】
一方、第２ロック機構４においては半円部２０ｅの上方への移動と第１アーム５１、第２アーム５２の作用により第２アーム５２は図１０に示す位置に固定され、第２アーム５２の端部ｄ４によって感知板４２が上から見て反時計回りに揺動され、その結果、揺動係止板７が図１０に示す位置に固定される。ここで室外からシャッターカーテン１３を開けようとすると、ラッチ片９が揺動係止板７で係止されシャッターカーテン１３が開けられることを阻止できる。揺動係止板７の位置はラッチ片９が係止されたときにシャッターカーテン１３と下枠部材の隙間から侵入を許さない位置に設けられている。この位置は、第１ロック機構３の場合の位置と対応して設けられている。
【００６３】
以上の動作により、シャッターカーテン１３を全閉した場合もまた全閉しなくともより確実に施錠することができる。したがって、採光開口部１８ａが開いたまま、場合によってはシャッターカーテン１３と下枠部材５の間に隙間を残したままシャッターカーテン１３を施錠できる。
【００６４】
このレバー操作部がない場合は室外よりシャッターカーテン１３を開けようとした場合、座板２０を持ち上げた場合、座板２０に下から荷重が加わり、座板２０が上方向に回動し。第１ロック機構３、第２ロック機構４ともに作用しロックがかかったが、途中のスラットを摺り上げるように持ち上げた場合には（特に採光開口部１８ａが開いた状態では持ち上げやすい。）、座板２０が自重により施錠解除位置に回動してしまい、施錠状態を維持できない。従来は開動作を検知してモータを閉動作させシャッターカーテンが開けられることを阻止していたが、停電時には作動しなかった。
【００６５】
施錠状態を解除するときは、レバー部３２ｂを図５に示す右端の施錠位置から図３に示す左端の施錠解除位置に移動させる。ピン３２ａがカム３１の傾斜面３１ａ側に移動しカム３１の上方向への作用がなくなるので、下部座板２０の自重により下方に回動し、第１ロック機構３、第２ロック機構４の施錠状態が解除される。カム３１は下部座板２０の下方向への回動に伴って下方向へ移動する。
【００６６】
カム３１の上下動に際して、カム３１の係合部３１ｅと下部座板２０の半円部２０ｅが係合されて移動し、下部座板２０が回動動作であるので、カム３１が前後方向にも動く。位置決め部材４５のカム３１との当接面が、上にいくにつれてカム３１から離れる方向に傾斜されているので、カム３１の前後方向への動きを吸収され、係合部３１ｅと半円部２０ｅの係合代をほぼ一定に保つことができる。
【００６７】
このように、本発明では簡単な構成で、より確実に施錠できる。
【００６８】
シャッターカーテン１３の閉動作中に障害物に当接すると、シャッターカーテン１３を全閉した場合と同様、下部座板２０が障害物から荷重を受けて上方向に回動する。その結果、半円部２０ｅの上方への移動と第１アーム５１、第２アーム５２の作用により第２アーム５２は図１０に示す位置に固定され、第２アーム５２の端部ｄ４によって感知板４２が上から見て反時計回りに揺動され、感知板４２により下限スイッチがＯＮ作動され、挟み込み防止信号がコントローラに送信され、シャッターカーテン１３の閉動作が停止される。こうして、第２ロック機構４は挟み込み防止機構も兼ねることができる。
【００６９】
なお、ケース３３を取り付ける穴部にひょうたん型穴部３８を使用しているが、丸穴でも長穴でもよい。カム３１を持ち上げるストロークによりロック片２４および第２アーム５２の突き出し量が決まるが、ひょうたん型穴や長穴を斜めに設定することによりケース３３の上下位置を調整でき、ロック片２４および第２アーム５２の突き出し量を調整できる。長穴では無段階に位置を調整できるが、使用中にずれる可能性が残る。一方、ひょうたん型穴では２段階の調整であるが、使用中のずれを防止できる。
【００７０】
図１１は、本発明の別形態の施錠装置を備えた座板の室内側から見た分解斜視図である。図２の実施形態と同じ部位には同じ符号を付けた。
【００７１】
上部座板１９には室内側に略水平に張り出した張り出し部１９ｆが設けられている。ホルダー８３に上部座板側に突設された回転軸８３ａに、操作レバー８２の孔部８２ｃが嵌合されている。操作レバー８２には、レバー部８２ｃと当接部８２ａが設けられている。上部座板１９側からブラケット８４、カム８１、操作レバー８２、ホルダー８３の順に配置し、ブラケット８４はボルト８７によりホルダー８３にねじ止めされ、ホルダー８３はボルト８６により張り出し部１９ｆの穴部８５の位置でねじ止めされ操作部２００が形成されている。カム８１には略水平な当接面８１ａが設けられており、操作レバー８２の当接部８２ａは当接面８１ａに摺動可能に当接されている。カム８１には係合部８１ｂが設けられており、係合部８１ｂは穴部３９に挿入され、下部座板２０の半円部２０ｅに係合されている。当接部８２ａは操作レバー８２の回動とともに回動する。カム８１は上下動部材であり、操作部２００とともに保持機構を形成している。
【００７２】
操作レバー８２は、当接部８２ａが鉛直上方よりわずかにオーバーストロークしたところで止まるようになっている。この固定を確実にするためホルダー８３と一体で樹脂でできたスナップフィット部８３ｂが設けられている。これによりカム８１がその最上端位置で固定される。施錠動作はレバー部８２ｃを図の時計回りに回動させ、その端部に固定する。すると当接部８２ａも最上端位置近くに位置し、カム８１が最上端に移動し、先の実施形態と同様に第１ロック機構３、第２ロック機構４が作用し施錠状態となる。一方、施錠解除動作は、レバー部８２ｃを図の反時計回りに回動させ、その端部に固定する。するとカム８１を上方へ拘束する作用がなくなり、下部座板２０が自重により下方に回動し、第１ロック機構３、第２ロック機構４が施錠解除状態となる。
【００７３】
なお、実施形態において、室内側から見て座板１７の左側端部に第１ロック機構３、右側端部に第２ロック機構４が設けられているが、左右両端部とも第１ロック機構を設けても、あるいは第２ロック機構を設けてもよい。
【００７４】
【発明の効果】
以上のように、本発明は、巻き取り軸に巻き取ることで上昇させ、かつ巻き取り軸から繰り出すことで下降させるシャッターカーテンの左右側端部をそれぞれガイドレールにより昇降自在に保持されたシャッター装置において、前記シャッターカーテンの下端部に位置し左右側端部を前記ガイドレールによりそれぞれ昇降自在に保持された上部座板と、該上部座板に対し左右方向の軸を中心に上下方向へ回動するように連結された下部座板と、前記ガイドレールに内に設けられた係止部材と、前記下部座板の上方向への回動に連動して前記係止部材に係止するストッパー部材と、前記下部座板を上方向に回動された状態で保持する保持機構が設けられていることを特徴とするシャッター装置であるので、シャッターカーテンの下端部に上方向の荷重が作用しない状態でも確実に施錠ができるシャッター装置を提供できる。
【図面の簡単な説明】
【図１】窓に適用されるシャッター装置を室内側から見た正面図
【図２】施錠装置を備えた座板の室内側から見た分解斜視図。
【図３】施錠解除状態の座板を室内側から見た部分正面図
【図４】施錠解除状態の座板のＡＡ断面図
【図５】施錠状態の座板を室内側から見た部分正面図
【図６】施錠状態の座板のＢＢ断面図
【図７】室内側から見て座板の左端に設けられた第１ロック機構の施錠解除状態を説明する説明図
【図８】室内側から見て座板の左端に設けられた第１ロック機構の施錠状態を説明する説明図
【図９】室内側から見て座板の右端に設けられた第２ロック機構の施錠解除状態を説明する説明図
【図１０】室内側から見て座板の右端に設けられた第２ロック機構のの施錠状態を説明する説明図
【図１１】本発明の別形態の施錠装置を備えた座板の室内側から見た分解斜視図
【符号の説明】
７  揺動係止板
９  ラッチ片（突設片）（ストッパー部材）
１３  シャッターカーテン
１４、１５  ガイドレール
１９  上部座板
２０  下部座板
２２  リンク片
２４  ロック片（ストッパー部材）
２７  係止片（係止部材）
３１、８１  カム（上下動部材）（保持機構）
３１ａ  傾斜面
３１ｆ  傾斜部
３１ｅ  係合部
３２  操作レバー
３２ａ  ピン（突設部材）
３３  ケース（ホルダー）
３４  ブラケット（ホルダー）
４１  ガイドピース
４２  感知板
４５  位置決め部材
５１  第１アーム
５２  第２アーム
８１ａ  当接面
８１ｂ  係合部
８２  操作レバー
８２ａ  当接部
８３  ホルダー
８３ａ  回転軸
１００、２００  操作部（保持機構）
ｂ１  案内長孔
ｄ４  端（係合押圧部）
【図１】
0003899995.tif 000002
【図２】
0003899995.tif 000003
【図３】
0003899995.tif 000004
【図４】
0003899995.tif 000005
【図５】
0003899995.tif 000006
【図６】
0003899995.tif 000007
【図７】
0003899995.tif 000008
【図８】
0003899995.tif 000009
【図９】
0003899995.tif 000010
【図１０】
0003899995.tif 000011
【図１１】
0003899995.tif 000012